(57)【要約】【課題】複数の層を有する吸収体の吸収効率を向上させるための吸収性物品を提供する。【解決手段】液透過性を有するトップシート１４と、液不透過性を有するバックシート１２と、前記トップシート１４と前記バックシート１２との間に配される吸収体１３と、を含む吸収性物品１０であって、前記吸収体１３は、上層吸収性コア１７ａと、前記上層吸収性コア１７ａより肌非当接側の下層吸収性コア１７ｃと、前記上層吸収性コア１７ａを厚み方向に貫通して設けられた上層吸収性コア貫通部Ｓａと、前記吸収性物品１０を構成する上層シートに一部が接触するように配されるセカンドシート１６であって、前記上層シートは前記上層吸収性コア１７ａの肌当接側の少なくとも一部を覆うように配されている、セカンドシート１６と、を含み、前記上層シートおよび／または前記セカンドシート１６は、前記上層吸収性コア貫通部Ｓａの内部を通るように配されている。【選択図】図４
2019141309.tif 000002
【特許請求の範囲】
【請求項１】
液透過性を有するトップシートと、液不透過性を有するバックシートと、前記トップシートと前記バックシートとの間に配される吸収体と、を含む吸収性物品であって、
前記吸収体は、
上層吸収性コアと、
前記上層吸収性コアより肌非当接側の下層吸収性コアと、
前記上層吸収性コアを厚み方向に貫通して設けられた上層吸収性コア貫通部と、
前記吸収性物品を構成する上層シートに一部が接触するように配されるセカンドシートであって、前記上層シートは前記上層吸収性コアの肌当接側の少なくとも一部を覆うように配されている、セカンドシートと、を含み、
前記上層シートおよび／または前記セカンドシートは、前記上層吸収性コア貫通部の内部を通るように配されていることを特徴とする吸収性物品。
【請求項２】
前記吸収体は、
ＳＡＰで構成されたＳＡＰ層であって、前記上層吸収性コアおよび前記下層吸収性コアが前記ＳＡＰ層を上下から挟むように積層されている、ＳＡＰ層と、
前記ＳＡＰ層を厚み方向に貫通して設けられたＳＡＰ層貫通部と、をさらに含み、
前記上層吸収性コア貫通部と、前記ＳＡＰ層貫通部と、は連続しており、
前記上層シートおよび／または前記セカンドシートは、前記連続した２つの貫通部の内部を通るように連続して配されており、且つ、前記セカンドシートの少なくとも一部が前記ＳＡＰ層の肌非当接側に接触されていることを特徴とする請求項１に記載の吸収性物品。
【請求項３】
前記吸収体は、前記下層吸収性コアを厚み方向に貫通して設けられた下層吸収性コア貫通部をさらに含み、
前記下層吸収性コア貫通部と、前記ＳＡＰ層貫通部と、は連続していることを特徴とする請求項２に記載の吸収性物品。
【請求項４】
前記上層吸収性コア貫通部は、前記吸収性物品の股下領域に設けられていることを特徴とする請求項１から請求項３のいずれか一項に記載の吸収性物品。
【請求項５】
前記セカンドシートの少なくとも一部が、前記上層シートから露出していることを特徴とする請求項１から請求項４のいずれか一項に記載の吸収性物品。
【請求項６】
前記上層シートは、前記トップシートであることを特徴とする請求項１から請求項５のいずれか一項に記載の吸収性物品。
【発明の詳細な説明】
【技術分野】
【０００１】
本発明は、液透過性のトップシートと、液不透過性のバックシートと、これらの間に配置される吸収体とを有する吸収性物品に関する。
【背景技術】
【０００２】
従来、排出された体液（以下、単に「体液」とも言う）を吸収体に誘導して吸収させた尿パッドや使い捨ておむつ等の吸収性物品が広く知られている。吸収体は、主にパルプと高吸水性樹脂（Ｓｕｐｅｒ  Ａｂｓｏｒｂｅｎｔ  Ｐｏｌｙｍｅｒ、以下「ＳＡＰ」とも言う）とからなる吸収性コアを、ティシュや不織布等の被覆部材によって挟んだものである。
【０００３】
成人の排出する体液の量は、乳幼児と比較して多く、その多い量の体液を吸収させるために、複数の層で構成された吸収性コアが用いられる場合がある。
【０００４】
この構成の場合、トップシートに排出された体液は、上層側（肌当接面側）の吸収性コアに一部吸収され、吸収し切れなかった体液は、上層側の吸収性コアを透過して下層側（肌非当接面側）の吸収性コアに到達することになるが、下層側の吸収性コアにおいて体液が接触する範囲が狭く、吸収が偏り、吸収効率がよくない場合がある。
【０００５】
そこで、吸収性コアのトップシート側に孔部を設け、吸収性コアの内部に拡散シートを配置することで、当該孔部を通って吸収性コア内部に到達した体液を拡散させることによって、下層側の吸収性コアに体液を広く接触させ、吸収効率の向上を図った吸収性物品が、例えば、特許文献１に開示されている。
【０００６】
また、複数の層の吸収性コアの間に拡散シートを配置することで、上層側の吸収性コアを透過した体液を、拡散シートによって拡散させることによって、下層側の吸収性コアに体液を広く接触させ、複数の層を有する吸収体の吸収効率の向上を図った吸収性物品が、例えば、特許文献２に開示されている。
【先行技術文献】
【特許文献】
【０００７】
【特許文献１】特開２００８−２８９６４０号公報
【特許文献２】特開２０１４−０６８８１３号公報
【発明の概要】
【発明が解決しようとする課題】
【０００８】
ところで、体液を吸いゼリー状になったＳＡＰは、体液を透過することを妨げるため、複数の層を有する吸収体の上層側の吸収性コアにおいてこのような現象が生じた場合、トップシート側に排出された体液を、下層側の吸収性コアに導くことが困難になり、吸収効率が低下するおそれがある。
【０００９】
したがって、特許文献１および特許文献２に記載された吸収性物品のように、吸収性コアの内部に拡散シートを単に設けるだけでなく、上記の観点から、拡散シートの形状、配置を決定することが要求される。
【００１０】
本発明の目的は、複数の層を有する吸収体の吸収効率を向上させるための吸収性物品を提供することにある。
【課題を解決するための手段】
【００１１】
本発明による吸収性物品は、液透過性を有するトップシートと、液不透過性を有するバックシートと、前記トップシートと前記バックシートとの間に配される吸収体と、を含む吸収性物品であって、前記吸収体は、上層吸収性コアと、前記上層吸収性コアより肌非当接側の下層吸収性コアと、前記上層吸収性コアを厚み方向に貫通して設けられた上層吸収性コア貫通部と、前記吸収性物品を構成する上層シートに一部が接触するように配されるセカンドシートであって、前記上層シートは前記上層吸収性コアの肌当接側の少なくとも一部を覆うように配されている、セカンドシートと、を含み、前記上層シートおよび／または前記セカンドシートは、前記上層吸収性コア貫通部の内部を通るように配されていることを特徴とする。
【発明の効果】
【００１２】
本発明によれば、吸収体の内部に位置するセカンドシートに到達した体液を、下層側に位置する吸収性コアに導いて吸収させることが可能となる。よって、複数の層を有する吸収体の吸収効率を向上させることが可能となる。
【図面の簡単な説明】
【００１３】
【図１】本発明の第１実施形態に係る尿パッドの一例の斜視図である。
【図２】図１に示した尿パッドの分解斜視図である。
【図３】第１実施形態に係る、伸張状態の尿パッドをトップシート側から見た平面図である。
【図４】図３におけるＩＶ−ＩＶ方向断面図である。
【図５】第１実施形態の２つの変形例１、２に係る尿パッドの断面図であって図４におけるＶ部分の拡大図であり、（ａ）は吸収性コアに形成された貫通部において隙間なくセカンドシートを配置した変形例１の断面図、（ｂ）は当該貫通部におけるセカンドシートの隙間に吸収性コアを配置した変形例２の断面図である。
【図６】本発明の第２実施形態に係る尿パッドの断面図であり、図３におけるＩＶ−ＩＶ方向断面図である。
【図７】本発明の第３実施形態に係る尿パッドの断面図であり、図３におけるＩＶ−ＩＶ方向断面図である。
【図８】本発明の第４実施形態に係る尿パッドの断面図であり、図３におけるＩＶ−ＩＶ方向断面図である。
【図９】本発明の第５実施形態に係る尿パッドの断面図であり、図３におけるＩＶ−ＩＶ方向断面図である。
【図１０】本発明の第６実施形態に係る、伸張状態の尿パッドをトップシート側から見た平面図である。
【図１１】図１０におけるＸＩ−ＸＩ方向断面図である。
【発明を実施するための形態】
【００１４】
本発明による吸収性物品の実施形態について、図１から図１１を参照しながら詳細に説明する。ただし、本発明は本実施形態の態様に限定されるものではない。
【００１５】
先ず、本発明を尿パッドに応用した第１実施形態について以下に説明する。
【００１６】
＜第１実施形態＞  
＜構成＞  
図１に本発明の第１実施形態に係る尿パッドの一例の斜視図を示す。本実施形態に係る吸収性物品１０は、尿パッド（吸収パッド）に関する。尿パッド１０は、下着や、尿パッド１０の保持用に作られたホルダーパンツと呼ばれる布製のパンツ型外装体等に、取り付けられることができ、使い捨ておむつの内面側に重ねて使用することも可能である。尿パッド１０は、前身頃領域１０Ｆと、後身頃領域１０Ｒと、これら前身頃領域１０Ｆおよび後身頃領域１０Ｒをつなぐ股下領域１０Ｃとを有する。
【００１７】
着用時に前身頃領域１０Ｆは、着用者の腹側に位置し、後身頃領域１０Ｒは着用者の背側に位置する。そして、着用時に股下領域１０Ｃは、着用者の股下を覆うこととなる。
【００１８】
図２は、図１に示す尿パッド１０の模式的な分解斜視図であり、図３は、第１実施形態に係る、伸張状態の尿パッド１０をトップシート１４側から見た平面図であり、図４は、図３におけるＩＶ−ＩＶ方向断面図である。尚、図３の尿パッド１０については、説明の便宜上、部分的に破断した状態を示しており、図４ではカバーシート１１の記載を省略している（後述する図５から図９、および図１１も同様）。
【００１９】
図２に示すように、本実施形態における尿パッド１０は、外側（肌非当接側）から順に、良好な手触りを得るために薄い不織布にて形成されるカバーシート１１と、液不透過性を有するバックシート（裏面シート）１２と、吸収体（後述する４層の積層体）１３と、液透過性を有するトップシート（表面シート）１４と、一対のサイドシート１５と、を重ねた積層構造を有しているものである。
【００２０】
トップシート１４は、矩形を呈しており、液透過性を有する不織布などで構成される。バックシート１２は、カバーシート１１に接合され、吸収体１３は、このバックシート１２とトップシート１４との間に配置され、この吸収体１３を介してトップシート１４がバックシート１２に接合される。カバーシート１１およびバックシート１２の股下領域１０Ｃの左右両側には、図２に示すように、一対の切欠き部１１Ｎおよび１２Ｎがそれぞれ形成されている。
【００２１】
トップシート１４の下に位置する本実施形態の吸収体１３は、肌当接側から順に、上層吸収性コア１７ａ、ＳＡＰ層１７ｂ、セカンドシート（拡散シート）１６、および下層吸収性コア１７ｃの４層で構成されたものである。吸収性コア１７は、上層吸収性コア１７ａ、上層吸収性コア１７ａより肌非当接側のＳＡＰ層１７ｂ、およびＳＡＰ層１７ｂより肌非当接側の下層吸収性コア１７ｃを含んで構成されている。つまり、上層吸収性コア１７ａおよび下層吸収性コア１７ｃは、セカンドシート１６を介してＳＡＰ層１７ｂを上下から挟むように積層されている。なお、本実施形態では、吸収性コア１７は、コアラップ等のシート部を有しないものであるが、本発明では、後述の第６実施形態のように、当該シート部を有するものであってもよい。また、本発明では、ＳＡＰ層１７ｂのない吸収性コア１７を有する吸収性物品も許容するものである。
【００２２】
上層吸収性コア１７ａはパルプで構成されたパルプ層であり、ＳＡＰ層１７ｂはＳＡＰで構成されたものである。本実施形態では、上層吸収性コア１７ａは、複数の上層吸収性コア領域を有するように主面において区画されている。ここで、主面とは、紙やこれに類する部材の（厚み側の細くて狭い面ではない）広い面に相当する部分を指すものとして参照される。この主面は、本実施形態では、肌当接側の面を表すものであるが、本発明の効果を奏する限り、肌当接側、肌非当接側のどちらでもよい。上層吸収性コア１７ａは、図３および図４に示すように、３つの上層吸収性コア領域１７ａ１、１７ａ２、１７ａ３を有する。また、ＳＡＰ層１７ｂは、複数のＳＡＰ領域を有するように主面において区画されており、本実施形態では、図３および図４に示すように、３つのＳＡＰ領域１７ｂ１、１７ｂ２、１７ｂ３を有する。
【００２３】
上層吸収性コア１７ａには、上層吸収性コア貫通部Ｓａが上層吸収性コア１７ａを厚み方向に貫通して設けられており、ＳＡＰ層１７ｂには、ＳＡＰ層貫通部ＳｂがＳＡＰ層１７ｂを厚み方向に貫通して設けられている。上層吸収性コア貫通部Ｓａは、図４に示すように、第１上層吸収性コア貫通部Ｓａ１と第２上層吸収性コア貫通部Ｓａ２とを含み、ＳＡＰ層貫通部Ｓｂは、図４に示すように、第１ＳＡＰ層貫通部Ｓｂ１と第２ＳＡＰ層貫通部Ｓｂ２とを含む。本実施形態では、上層吸収性コア領域１７ａ１、１７ａ２の２つの領域の間に、第１上層吸収性コア貫通部Ｓａ１が形成されており、上層吸収性コア領域１７ａ２、１７ａ３の２つの領域の間に、第２上層吸収性コア貫通部Ｓａ２が形成されている。また、ＳＡＰ領域１７ｂ１、１７ｂ２の２つの領域の間に、第１ＳＡＰ層貫通部Ｓｂ１が形成されており、ＳＡＰ領域１７ｂ２、１７ｂ３の２つの領域の間に、第２ＳＡＰ層貫通部Ｓｂ２が形成されている。
【００２４】
吸収体１３は、上層吸収性コア貫通部ＳａとＳＡＰ層貫通部Ｓｂとが連続するように構成されている。具体的には、第１上層吸収性コア貫通部Ｓａ１と第１ＳＡＰ層貫通部Ｓｂ１とは連続しており、第２上層吸収性コア貫通部Ｓａ２と第２ＳＡＰ層貫通部Ｓｂ２とは連続している。なお、本実施形態では、上層吸収性コア貫通部ＳａおよびＳＡＰ層貫通部Ｓｂは、上層吸収性コア１７ａおよびＳＡＰ層１７ｂが複数の領域を有するように主面において区画されていることで形成されているが、本発明ではこれに限られず、後述の第６実施形態のように、上層吸収性コア１７ａおよびＳＡＰ層１７ｂに厚み方向に貫通する孔やスリットを設けることで形成されてもよい。
【００２５】
下層吸収性コア１７ｃは、主にパルプとＳＡＰとからなる混合層である。図２および図３に示すように、上層吸収性コア１７ａおよびＳＡＰ層１７ｂは帯型を呈したものを３本用いてそれぞれ構成され、下層吸収性コア１７ｃはバックシート１２の形状のようにひょうたん型を呈している。
【００２６】
セカンドシート１６は、親水性シート（例えばティッシュ）や不織布等で構成されうる。セカンドシート１６は、複数の上層吸収性コア領域および複数のＳＡＰ領域をそれぞれ仕切るように配される。本実施形態では、セカンドシート１６は、図４に示すように、上層吸収性コア領域１７ａ１、１７ａ２、１７ａ３およびＳＡＰ領域１７ｂ１、１７ｂ２、１７ｂ３の間隙に入り込むように折り曲げられた部分を有する。尚、本実施形態では、セカンドシート１６の当該間隙に入り込んだ部分は、図４に示すように、折り曲げられているが、本発明では、折り曲げられなくてもよい。例えば、セカンドシート１６を折り曲げずに、セカンドシート１６に丸みの帯びた部分を形成し、その丸みの帯びた部分を当該間隙に入り込ませた形にしてもよい。また、セカンドシート１６が入り込む上記間隙の側部（つまり上層吸収性コア領域およびＳＡＰ領域の側部）が傾斜している場合、セカンドシート１６を、折り曲げずに当該側部に沿うように配置してもよい。
【００２７】
本発明では、上層シートおよび／またはセカンドシート１６は、上層吸収性コア貫通部Ｓａの内部を通るように配されている。ここで、上層シートとは、尿パッド１０を構成するシートのうち、上層吸収性コア１７ａの肌当接側の少なくとも一部を覆うように配されているシートをいい、例えば、後述の上側シート１８ａ（第６実施形態、図１１を参照）、トップシート１４をいう。本実施形態では、上層シートは、トップシート１４である。本実施形態では、セカンドシート１６は、連続した第１上層吸収性コア貫通部Ｓａ１および第１ＳＡＰ層貫通部Ｓｂ１、並びに、連続した第２上層吸収性コア貫通部Ｓａ２および第２ＳＡＰ層貫通部Ｓｂ２の内部を通るように連続して配されている。
【００２８】
セカンドシート１６は、上層シートに一部が接触するように配されている。つまり、セカンドシート１６は、第１上層吸収性コア貫通部Ｓａ１と第２上層吸収性コア貫通部Ｓａ２から露出した部分が当該上層シートにそれぞれ接触するように、構成されている。また、本実施形態では、セカンドシート１６は、図４に示すように、トップシート１４の肌非当接側に接着部２０を介して接着されている。接着部２０は、ヒートシールで熱融着したり、超音波で溶着したり、接着剤を塗布したりすること等で形成される。本実施形態では、本実施形態では、接着部２０の形状や形成面積は、上記効果や、セカンドシート１６からＳＡＰ層１７ｂや下層吸収性コア１７ｃに体液を有効に導くことを考慮して決定されうる。また、本発明では、セカンドシート１６が上層シートに接触さえすれば、上記接着部２０を設けない態様も許容されるものである。
【００２９】
また、本実施形態では、セカンドシート１６の少なくとも一部は、ＳＡＰ層１７ｂの肌非当接側に接触されている。この構成により、体液を下層側の吸収性コアに導き吸収させることが可能となる。
【００３０】
本発明では、吸収性コア１７は、本実施形態のように３層ではなく、２層や３層より多いものであってもよい。さらに、上層吸収性コア１７ａ、ＳＡＰ層１７ｂ、および下層吸収性コア１７ｃの構成要素は、本実施形態に限られず、例えば、上層吸収性コア１７ａをパルプとＳＡＰの混合層としてもよいし、下層吸収性コア１７ｃをパルプのみで構成してもよい。下層吸収性コア１７ｃがパルプ層であって、セカンドシート１６がこの下層吸収性コア１７ｃに接着される場合、下層吸収性コア１７ｃはエアレイド法で作成するのが好ましい。この構成により、丈夫な下層吸収性コア１７ｃにすることが可能となる。さらに、上層吸収性コア１７ａ、ＳＡＰ層１７ｂ、および下層吸収性コア１７ｃの輪郭形状は、本実施形態のような形状以外に、楕円形や円形または正方形など、様々な形状を採用することが可能である。また、上層吸収性コア１７ａ、ＳＡＰ層１７ｂ、および下層吸収性コア１７ｃの輪郭形状は、図２に示すように、吸収体１３の長手方向に平行に延在するような形状だけでなく、本発明では、吸収体１３の幅方向に平行に延在するようなものや、吸収体１３の長手方向に対して斜めに延在するようなものも含まれる。上層吸収性コア１７ａおよびＳＡＰ層１７ｂをそれぞれ構成する領域の数も「３」に限られない。
【００３１】
本実施形態におけるトップシート１４の幅方向の左右両側縁部には、立体ギャザーを形成する疎水性の一対のサイドシート１５が備えられている。一対のサイドシート１５は、着用時に吸収体１３の左右両側で起立し、排出された体液の横漏れを防止するための部材である。一対のサイドシート１５の外側端縁部には、カバーシート１１およびバックシート１２の切欠き部１１Ｎおよび１２Ｎと同様の形状に切欠き部１５Ｎが形成されている。一対のサイドシート１５のそれぞれには、その内側端縁部を吸収体１３側に折り返して把持させる形で立体ギャザー伸縮材としての糸ゴム１９が伸張状態で配置される。一対のサイドシート１５は、糸ゴム１９が収縮した際に、着用者の肌当接方向に向かって立ち上がる。立体ギャザーは従来の尿パッドに用いられている公知の構成を採用することができる。例えば、撥水性シートの層間に伸張状態の立体ギャザー伸縮材を挟み込んで固定することにより、形成することができる。本実施形態では、一対のサイドシート１５は、図４に示すように、トップシート１４の幅方向の左右両側縁部をシールするように、トップシート１４の左右両側縁部にそれぞれ接着されている。
【００３２】
従来、複数の層で構成された吸収性コアが用いられる場合に、下層側の吸収性コアに体液を効率よく吸収させるため、吸収性コアの内部や複数の層の吸収性コアの間に拡散シートを配する態様が、例えば、特許文献１や特許文献２に開示されている。
【００３３】
ところで、体液を吸いゼリー状になったＳＡＰは、体液を透過することを妨げるため、複数の層を有する吸収体の上層側の吸収性コアにおいてこのような現象が生じた場合、トップシート側に排出された体液を、下層側の吸収性コアに導くことが困難になり、吸収効率が低下するおそれがある。したがって、特許文献１および特許文献２に記載された吸収性物品のように、吸収性コアの内部に拡散シートを単に設けるだけでなく、上記の観点から、拡散シートの形状、配置を決定することが要求される。
【００３４】
本実施形態によれば、トップシート１４の肌非当接側とセカンドシート１６の肌当接側が接触しているので、トップシート１４を浸透した体液を当該接触部分を介して、吸収体１３の内部に位置するセカンドシート１６に到達させることができ、セカンドシート１６によってＳＡＰ層１７ｂや下層吸収性コア１７ｃに体液を導いて吸収させることが可能となる。よって、複数の層を有する吸収体１３の吸収効率、特にＳＡＰを含む層を有する吸収体１３の吸収効率を向上させることが可能となる。
【００３５】
また、セカンドシート１６の肌非当接側を下層吸収性コア１７ｃの肌当接側に接着した場合には、３つのＳＡＰ領域１７ｂ１、１７ｂ２、１７ｂ３がセカンドシート１６に仕切られるようにそれぞれ位置固定されるので、体液を吸収してゼリー状となった３つのＳＡＰ領域１７ｂ１、１７ｂ２、１７ｂ３が互いにくっついて塊になることが抑制され、体液を吸収したＳＡＰの塊が未だ吸収していないＳＡＰを包み込んで吸収効率が低下するといった現象を生じにくくさせることが可能となる。
【００３６】
本実施形態では、図４に示すように、上層吸収性コア領域１７ａ１、１７ａ２、１７ａ３およびＳＡＰ領域１７ｂ１、１７ｂ２、１７ｂ３の間隙に入り込むように折り曲げられたセカンドシート１６の部分において、肌当接側に向かって起立した２つの対向面の間（第１上層吸収性コア貫通部Ｓａ１および第１ＳＡＰ層貫通部Ｓｂ１、並びに第２上層吸収性コア貫通部Ｓａ２および第２ＳＡＰ層貫通部Ｓｂ２）には、隙間が形成されているが、本発明ではこの限りでない。
【００３７】
図５は本発明の第１実施形態の２つの変形例１、２に係る尿パッドの断面図であり、図４におけるＶ部分の拡大図である。図５（ａ）は吸収性コア１７に形成された貫通部（連続した第１上層吸収性コア貫通部Ｓａ１および第１ＳＡＰ層貫通部Ｓｂ１）において隙間なくセカンドシート１６を配置した変形例１の断面図、図５（ｂ）は当該貫通部におけるセカンドシート１６の隙間に吸収性コアを配置した変形例２の断面図である。
【００３８】
変形例１では、図５（ａ）に示すように、セカンドシート１６のうち折り返すために肌当接側に向かって起立した２つの対向面の間（第１上層吸収性コア貫通部Ｓａ１および第１ＳＡＰ層貫通部Ｓｂ１、並びに第２上層吸収性コア貫通部Ｓａ２および第２ＳＡＰ層貫通部Ｓｂ２）に隙間を形成せずに、セカンドシート１６の一部をトップシート１４の肌非当接側に接触させる。この構成により、上層吸収性コア１７ａおよびＳＡＰ層１７ｂの容積を、上記隙間がない分増加させることができ、吸収量を増やすことが可能となる。
【００３９】
変形例２では、図５（ｂ）に示すように、上記隙間に上層吸収性コア領域１７ａ４およびＳＡＰ領域１７ｂ４を配置している。この構成により、上層吸収性コア１７ａ（上層吸収性コア領域１７ａ１、１７ａ２、１７ａ４）およびＳＡＰ層１７ｂ（ＳＡＰ領域１７ｂ１、１７ｂ２、１７ｂ４）に対するセカンドシート１６の接触面積を拡大させることができる結果、セカンドシート１６に浸透した体液を、当該上層吸収性コア１７ａおよび当該ＳＡＰ層１７ｂにおいて迅速に吸収させることが可能となる。
【００４０】
なお、図５（ａ）および図５（ｂ）について上述の変形例１および変形例２の構成は、後述の第２実施形態から第６実施形態にも同様に適用可能である。
【００４１】
＜第２実施形態＞  
本発明の第２実施形態では、第１実施形態とは異なり、セカンドシート１６の少なくとも一部が、上層シート（本実施形態ではトップシート１４）から露出している。この構成により、第１実施形態よりも、ＳＡＰ層１７ｂや下層吸収性コア１７ｃに体液を導きやすくなり、効率よく吸収させることが可能となる。
【００４２】
図６は、本実施形態に係る尿パッドの断面図であり、図３におけるＩＶ−ＩＶ方向断面図である。本実施形態に係る吸収性物品を構成する各要素のうち、同様の機能を有するものについては、第１実施形態と同一の符号を付してその説明を省略する。本実施形態では、セカンドシート１６は、図６に示すように、上層シート（本実施形態ではトップシート１４）に一部（図６では露出したセカンドシート１６の両肩部分）が接触するように配されている。
【００４３】
本実施形態によれば、排出された体液を、トップシート１４を介さずに露出したセカンドシート１６に浸透させることが可能となるので、当該体液をＳＡＰ層１７ｂや下層吸収性コア１７ｃに直接的に導いて吸収させることができる結果、第１実施形態よりも吸収効率を向上させることが可能となる。
【００４４】
＜第３実施形態＞  
本発明の第３実施形態では、第１実施形態とは異なり、セカンドシート１６ではなくトップシート１４が、連続した上層吸収性コア貫通部ＳａおよびＳＡＰ層貫通部Ｓｂの内部を通るように連続して配されている。この構成により、第１実施形態と同様に、ＳＡＰ層１７ｂや下層吸収性コア１７ｃに体液を導きやすくなり、効率よく吸収させることが可能となる。
【００４５】
図７は、本実施形態に係る尿パッドの断面図であり、図３におけるＩＶ−ＩＶ方向断面図である。本実施形態に係る吸収性物品を構成する各要素のうち、同様の機能を有するものについては、第１実施形態と同一の符号を付してその説明を省略する。
【００４６】
本実施形態では、吸収体１３には、図７に示すように、トップシート１４が連続した上層吸収性コア貫通部ＳａおよびＳＡＰ層貫通部Ｓｂに入り込むように配置されることで、吸収体１３の長手方向に沿って溝が２条形成されている。また、本実施形態では、セカンドシート１６は、ＳＡＰ層１７ｂと下層吸収性コア１７ｃとの間において、下層吸収性コア１７ｃの肌当接側に沿うように平面状に配置されている。そして、当該溝の底部において、トップシート１４の肌非当接側とセカンドシート１６の肌当接側とが接触している。この構成により、排出された体液が当該溝の底部に入り、トップシート１４を介して迅速にセカンドシート１６に到達するため、セカンドシート１６において体液を拡散させ、ＳＡＰ層１７ｂおよび下層吸収性コア１７ｃにおいて素早く吸収させることが可能となる。
【００４７】
本実施形態によれば、第１実施形態と同様に、複数の層を有する吸収体１３の吸収効率、特にＳＡＰを含む層を有する吸収体１３の吸収効率を向上させることが可能となる。なお、本実施形態において、トップシート１４の肌非当接側とセカンドシート１６の肌当接側とが接触する部分は、第１実施形態に係る接着部２０を介して接着してもよい。
【００４８】
＜第４実施形態＞  
本発明の第４実施形態では、第１実施形態とは異なり、ＳＡＰ層１７ｂを複数の領域に分割せずに１枚もので構成し、セカンドシート１６を上層吸収性コア１７ａとＳＡＰ層１７ｂとの間に配置する。この構成により、上層吸収性コア１７ａより下層側に位置するＳＡＰ層１７ｂに体液を導きやすくなり、効率よく吸収させることが可能となる。
【００４９】
図８は、本発明の第４実施形態に係る尿パッドの断面図であり、図３におけるＩＶ−ＩＶ方向断面図である。本実施形態に係る吸収性物品を構成する各要素のうち、同様の機能を有するものについては、第１実施形態と同一の符号を付してその説明を省略する。
【００５０】
本実施形態によれば、第１実施形態と同様に、複数の層を有する吸収体１３の吸収効率、特にＳＡＰを含む層を有する吸収体１３の吸収効率を向上させることが可能となる。
【００５１】
＜第５実施形態＞  
本発明の第５実施形態では、第１実施形態とは異なり、下層吸収性コア１７ｃを３つの領域に分割し、分割した下層吸収性コア１７ｃと共に、上層吸収性コア領域とＳＡＰ領域とを仕切るように配されているサードシート２１をさらに備える。この構成により、ＳＡＰ層１７ｂと下層吸収性コア１７ｃとの間、および下層吸収性コア１７ｃとバックシート１２との間に拡散シートをそれぞれ配置することになり、体液を吸収するための流路がそれぞれ確保されるので、ＳＡＰ層１７ｂおよび下層吸収性コア１７ｃで効率よく吸収することが可能となる。
【００５２】
図９は、本発明の第５実施形態に係る尿パッドの断面図であり、図３におけるＩＶ−ＩＶ方向断面図である。本実施形態に係る吸収性物品を構成する各要素のうち、同様の機能を有するものについては、第１実施形態と同一の符号を付してその説明を省略する。
【００５３】
下層吸収性コア１７ｃは、複数の下層吸収性コア領域を有するように主面において区画されている。下層吸収性コア１７ｃは、図９に示すように、３つの下層吸収性コア領域１７ｃ１、１７ｃ２、１７ｃ３を有する。
【００５４】
下層吸収性コア１７ｃには、下層吸収性コア貫通部Ｓｃが下層吸収性コア１７ｃを厚み方向に貫通して設けられている。下層吸収性コア貫通部Ｓｃは、図９に示すように、第１下層吸収性コア貫通部Ｓｃ１と第２下層吸収性コア貫通部Ｓｃ２とを含む。本実施形態では、下層吸収性コア領域１７ｃ１、１７ｃ２の２つの領域の間に、第１下層吸収性コア貫通部Ｓｃ１が形成されており、下層吸収性コア領域１７ｃ２、１７ｃ３の２つの領域の間に、第２下層吸収性コア貫通部Ｓｃ２が形成されている。
【００５５】
吸収体１３は、上層吸収性コア貫通部ＳａとＳＡＰ層貫通部Ｓｂと下層吸収性コア貫通部Ｓｃとが連続するように構成されている。具体的には、第１上層吸収性コア貫通部Ｓａ１と第１ＳＡＰ層貫通部Ｓｂ１と第１下層吸収性コア貫通部Ｓｃ１とは連続しており、第２上層吸収性コア貫通部Ｓａ２と第２ＳＡＰ層貫通部Ｓｂ２と第２下層吸収性コア貫通部Ｓｃ２とは連続している。
【００５６】
本実施形態では、セカンドシート１６は、連続した第１上層吸収性コア貫通部Ｓａ１および第１ＳＡＰ層貫通部Ｓｂ１、並びに、連続した第２上層吸収性コア貫通部Ｓａ２および第２ＳＡＰ層貫通部Ｓｂ２の内部を通るように連続して配されている。
【００５７】
また、本実施形態では、サードシート２１は、連続した第１上層吸収性コア貫通部Ｓａ１、第１ＳＡＰ層貫通部Ｓｂ１および第１下層吸収性コア貫通部Ｓｃ１、並びに、連続した第２上層吸収性コア貫通部Ｓａ２、第２ＳＡＰ層貫通部Ｓｂ２および第２下層吸収性コア貫通部Ｓｃ２の内部を通るように連続して配されている。サードシート２１は、セカンドシート１６と同様に、拡散シートであり、親水性シート（例えばティッシュ）や不織布等で構成されうる。サードシート２１は、図９に示すように、バックシート１２に３つの接着部２２を介して接着されている。
【００５８】
本実施形態によれば、第１実施形態と同様に、複数の層を有する吸収体１３の吸収効率、特にＳＡＰを含む層を有する吸収体１３の吸収効率を向上させることが可能となる。
【００５９】
＜第６実施形態＞  
本発明の第６実施形態では、第１実施形態とは異なり、吸収体１３を、吸収性コア１７を上側シート１８ａおよび下側シート１８ｂの２層で構成されたシート部１８によって挟んで構成し、上層吸収性コア貫通部ＳａおよびＳＡＰ層貫通部Ｓｂを、上層吸収性コア１７ａおよびＳＡＰ層１７ｂに厚み方向に貫通するスリットを設けることで形成している。この構成により、第１実施形態と同様に、上層吸収性コア１７ａより下層側に位置するＳＡＰ層１７ｂや下層吸収性コア１７ｃに体液を導きやすくなり、効率よく吸収させることが可能となる。
【００６０】
図１０は本実施形態に係る、伸張状態の尿パッド１０’をトップシート側から見た平面図であり、図１１は図１０におけるＸＩ−ＸＩ方向断面図である。本実施形態に係る吸収性物品を構成する各要素のうち、同様の機能を有するものについては、第１実施形態と同一の符号を付してその説明を省略する。
【００６１】
トップシート１４の下に位置する本実施形態の吸収体１３は、肌当接側から順に、上層吸収性コア１７ａ、ＳＡＰ層１７ｂ、セカンドシート（拡散シート）１６、および下層吸収性コア１７ｃの４層で構成されたものを、上側シート１８ａおよび下側シート１８ｂの２層で構成されたシート部１８によって挟んだものである。
【００６２】
吸収性コア１７を上下から挟んでいる本実施形態の上側シート１８ａおよび下側シート１８ｂは、ティシュや不織布等でそれぞれ構成されている。上側シート１８ａおよび下側シート１８ｂは、矩形をそれぞれ呈している。上側シート１８ａおよび下側シート１８ｂの形状について様々な形状を採用することができる。また、本発明では、シート部１８は、本実施形態のように吸収性コア１７を上下から挟む２層の態様のほか、単層または２層より多い態様や、吸収性コア１７を包む（いわゆるコアラップのような）態様なども許容されるものである。このシート部１８は、本実施形態に限られず、上述した本発明の第１から第５実施形態にも適用可能であり、本発明の第１から第５実施形態のいずれかに係る吸収性コア１７を挟むように、または包むように配置されてもよい。
【００６３】
本実施形態では、上層吸収性コア貫通部Ｓａは、尿パッド１０’の股下領域１０Ｃに設けられている。具体的には、上層吸収性コア貫通部Ｓａは、図１０および図１１に示すように、吸収体１３の吸収性コア１７の股下部分に、吸収性コア１７の厚さ方向に貫通するスリットを２条設けることで形成されている。この構成により、体液が排出されやすい股下部分において、吸収効率を向上させることが可能となる。
【００６４】
本実施形態によれば、第１実施形態と同様に、複数の層を有する吸収体１３の吸収効率、特にＳＡＰを含む層を有する吸収体１３の吸収効率を向上させることが可能となる。
【００６５】
＜その他＞  
本発明は、上述した各実施形態や、随所に述べた変形例に限られることなく、本発明の技術的思想から逸脱しない範囲で、適宜の変更や変形が可能である。
【００６６】
例えば、上記各実施形態またはその変形例に係る吸収性物品は、上述した構造に限定されるわけではなく、特許請求の範囲に規定された吸収性物品でありさえすれば、どのような構成であってもよい。例えば、展開型やパンツ型の使い捨ておむつなど、成人向けや乳幼児向けの各種吸収性物品であっても本発明を適用可能である。
【００６７】
加えて、上記各実施形態またはその変形例に係る尿パッド１０では、一対の切欠き部１１Ｎおよび１２Ｎが形成されているが、本発明では、尿パッド１０の形状は適宜変更することができ、例えば、これら切欠き部を設けずに、単純な矩形状とすることも可能である。
【００６８】
さらに、上記各実施形態またはその変形例に係る尿パッド１０では、セカンドシート１６または上層シート（第３実施形態ではトップシート１４）は、第１上層吸収性コア貫通部Ｓａ１および第２上層吸収性コア貫通部Ｓａ２の隙間に配されているが、本発明ではこれに限られず、本発明の効果を奏する限りにおいて、セカンドシート１６および上層シートの両方が当該隙間に配されてもよいし、セカンドシート１６および上層シートが当該隙間のどの位置（または当該隙間以外の位置）において接触してもよい。
【符号の説明】
【００６９】
１０、１０’  尿パッド
１０Ｆ  前身頃領域
１０Ｒ  後身頃領域
１０Ｃ  股下領域
１１  カバーシート
１１Ｎ、１２Ｎ、１５Ｎ  切欠き部
１２  バックシート
１３  吸収体
１４  トップシート
１５  サイドシート
１６  セカンドシート
１７ａ  上層吸収性コア
１７ｂ  ＳＡＰ層
１７ｃ  下層吸収性コア
１８ａ  上側シート
１８ｂ  下側シート
１９  糸ゴム
２０、２２  接着部
２１  サードシート
Ｓａ  上層吸収性コア貫通部
Ｓｂ  ＳＡＰ層貫通部
Ｓｃ  下層吸収性コア貫通部
【図１】
2019141309.tif 000003
【図２】
2019141309.tif 000004
【図３】
2019141309.tif 000005
【図４】
2019141309.tif 000006
【図５】
2019141309.tif 000007
【図６】
2019141309.tif 000008
【図７】
2019141309.tif 000009
【図８】
2019141309.tif 000010
【図９】
2019141309.tif 000011
【図１０】
2019141309.tif 000012
【図１１】
2019141309.tif 000013